(57)【要約】【課題】保持機構の係合作業性の向上。【解決手段】収容部材３０は、第１及び第２の導電部材１０，２０を収容する収容体４０と、収容体における第２導電部材の第２収容室４２の開口４２ａを塞ぐ蓋体５０と、これらの間のリビングヒンジとしてのヒンジ体６０と、閉塞位置で蓋体を収容体に保持させる保持機構７０と、を有し、保持機構は、被挿入部７４を有する第１係合保持体７１と、爪部７３を有する第２係合保持体７２と、を備え、第１係合保持体は、蓋体の回動動作の進行と共に爪部が被挿入部に挿入されるよう第２係合保持体を案内する第１誘い込み部７１ａと、ヒンジ体の回動軸６５の位置が何れの位置であっても第２係合保持体が当接し、蓋体の回動動作の進行と共に第２係合保持体を第１誘い込み部まで案内する第２誘い込み部７１ｂと、を有すること。【選択図】図４
2018195446.tif 000002
【特許請求の範囲】
【請求項１】
配列された複数の電池セルの内の少なくとも１つを接続対象とし、その接続対象となる前記電池セルが有する２つの電極端子の内の１つに対して電気的に接続される第１導電部材と、
複数の前記電池セルの配列方向に延在させる導電体を有し、前記第１導電部材及び電気接続対象物に対して前記導電体を電気的に接続させる第２導電部材と、
前記第１及び第２の導電部材を収容する収容部材と、
を備え、
前記収容部材は、前記第１導電部材が収容される第１収容室及び前記第２導電部材が収容される第２収容室を有する収容体と、前記第２収容室から前記第２導電部材が抜け出ないように前記第２収容室の開口の少なくとも一部を塞ぐ蓋体と、前記収容体と前記蓋体とを連結し、前記第２収容室の前記開口に対する開放位置と前記第２収容室の前記開口に対する閉塞位置との間で前記蓋体を前記収容体に対して回動させるヒンジ体と、前記閉塞位置で前記蓋体を前記収容体に保持させる保持機構と、を有し、
前記ヒンジ体は、前記収容体側と前記蓋体側との間で回動軸の位置の変位が可能な柔軟性を有する薄肉のリビングヒンジであり、
前記保持機構は、前記収容体に設けた第１係合保持体と、前記蓋体に設けた第２係合保持体と、を備え、前記第１係合保持体と前記第２係合保持体の内の一方が有する爪部を前記第１係合保持体と前記第２係合保持体の内の他方が有する被挿入部に挿入させ、前記爪部の前記被挿入部への挿入完了と共に前記爪部と前記被挿入部の壁面とを互いに引っ掛けることによって、前記閉塞位置で前記蓋体を前記収容体に保持させるように形成し、
前記第１係合保持体は、前記ヒンジ体の前記回動軸の位置が前記収容体側と前記蓋体側との間における基準回動軸の位置のときに前記第２係合保持体が当接し、前記収容体に対する前記蓋体の回動動作の進行と共に前記爪部が前記被挿入部に挿入されるよう前記第２係合保持体を案内する第１誘い込み部と、前記ヒンジ体の前記回動軸の位置が前記収容体側と前記蓋体側との間における何れの位置であっても前記第２係合保持体が当接し、前記収容体に対する前記蓋体の回動動作の進行と共に前記第２係合保持体を前記第１誘い込み部まで案内する第２誘い込み部と、を有することを特徴とした導電モジュール。
【請求項２】
前記第２誘い込み部は、前記第２係合保持体が前記第１誘い込み部に到達するまで、当接した前記第２係合保持体を接触させながら案内する摺接面であることを特徴とした請求項１に記載の導電モジュール。
【請求項３】
前記第２誘い込み部は、前記第１誘い込み部による前記第２係合保持体の案内方向に対して傾斜させた傾斜面であることを特徴とした請求項１又は２に記載の導電モジュール。
【請求項４】
前記第２収容室は、前記第２収容室を成す壁部における前記ヒンジ体が連結された前記回動軸側の内側壁部と、前記内側壁部に対して前記第２収容室の室内を挟んで間隔を空けて配置された外側壁部と、を有し、
前記蓋体は、前記ヒンジ体が連結された前記回動軸側の内側端部と、前記内側端部に対して間隔を空けて配置された外側端部と、を有し、
前記保持機構は、前記外側壁部に前記第１係合保持体を設け、かつ、前記外側端部に前記第２係合保持体を設けることを特徴とした請求項１，２又は３に記載の導電モジュール。
【請求項５】
前記第２収容室は、前記第２収容室を成す壁部における前記ヒンジ体が連結された前記回動軸側の内側壁部と、前記内側壁部に対して前記第２収容室の室内を挟んで間隔を空けて配置された外側壁部と、を有し、
前記蓋体は、前記ヒンジ体が連結された前記回動軸側の内側端部と、前記内側端部に対して間隔を空けて配置された外側端部と、を有し、
前記保持機構は、前記外側壁部と前記外側端部との間に配置すると共に、前記内側壁部と前記内側端部との間にも配置することを特徴とした請求項１，２又は３に記載の導電モジュール。
【請求項６】
前記第２導電部材は、前記導電体としての芯線と、前記芯線を覆う被覆と、を備えた電線であることを特徴とした請求項１から５の内の何れか１つに記載の導電モジュール。
【発明の詳細な説明】
【技術分野】
【０００１】
本発明は、導電モジュールに関する。
【背景技術】
【０００２】
従来、電気自動車やハイブリッド車等の車両には、その駆動源となる回転機に対して給電を行う電池パックが搭載されている。そして、その電池パックには、電池モジュールを成す複数の電池セルの内の少なくとも１つに対して電気的に接続される導電モジュールが設けられている。その導電モジュールは、電池セルの電極端子に対して電気的に接続される第１導電部材と、この第１導電部材と電気接続対象物側とに対して各々電気的に接続される第２導電部材と、その第１及び第２の導電部材を収容する収容部材と、を備えている。その収容部材は、第１導電部材が収容される第１収容室及び第２導電部材が収容される第２収容室を有する収容体と、その第２収容室から第２導電部材が抜け出ないように第２収容室の開口の少なくとも一部を塞ぐ蓋体と、第２収容室の開口に対する開放位置と第２収容室の開口に対する閉塞位置との間で蓋体を収容体に対して回動させるヒンジ体と、閉塞位置で蓋体を収容体に保持させる保持機構と、を有する。この収容部材は、合成樹脂等の絶縁性材料で成形されており、柔軟性を有する薄肉の所謂リビングヒンジがヒンジ体として形成されている。また、保持機構は、爪部を有する蓋体側の第１係合保持体と、その爪部が挿入される被挿入部を有し、その爪部の被挿入部への挿入完了と共に爪部が被挿入部の壁面に引っ掛かる収容体側の第２係合保持体と、を備えている。この保持機構においては、収容体に対する蓋体の閉塞位置に向けた回動動作と共に、第１係合保持体の爪部が第２係合保持体の誘い込み部に沿って被挿入部まで案内されていく。この種の導電モジュールについては、例えば、下記の特許文献１に開示されている。その特許文献１では、第１導電部材としてのバスバと第２導電部材としての電線とを備え、それぞれの電池セルを複数のバスバで直列又は並列に繋ぐ一方、その電線で電池セルの電圧検出を行う所謂バスバモジュールが示されている。
【先行技術文献】
【特許文献】
【０００３】
【特許文献１】特開２０１３−４５０１号公報
【発明の概要】
【発明が解決しようとする課題】
【０００４】
ところで、この導電モジュールのヒンジ体は、その柔軟性故に必ずしも回動軸が１箇所に定められるものではなく、回動軸の位置が収容体側と蓋体側との間で変位する可能性がある。このため、収容部材においては、回動動作の度に収容体に対する蓋体の回動軌跡が変化し、これに伴い、第２係合保持体の誘い込み部に対する第１係合保持体の爪部の回動軌跡も変化する。従って、この収容部材は、爪部を被挿入部に挿入させるべく、第１係合保持体の爪部と第２係合保持体の誘い込み部との位置関係を意識しながら、蓋体を閉塞位置に向けて回動させる必要がある。つまり、従来の導電モジュールは、保持機構の係合作業について改善の余地がある。
【０００５】
そこで、本発明は、蓋体で収容体の開口を閉じる際の保持機構の係合作業性の向上が可能な導電モジュールを提供することを、その目的とする。
【課題を解決するための手段】
【０００６】
上記目的を達成する為、本発明は、配列された複数の電池セルの内の少なくとも１つを接続対象とし、その接続対象となる前記電池セルが有する２つの電極端子の内の１つに対して電気的に接続される第１導電部材と、複数の前記電池セルの配列方向に延在させる導電体を有し、前記第１導電部材及び電気接続対象物に対して前記導電体を電気的に接続させる第２導電部材と、前記第１及び第２の導電部材を収容する収容部材と、を備えている。そして、前記収容部材は、前記第１導電部材が収容される第１収容室及び前記第２導電部材が収容される第２収容室を有する収容体と、前記第２収容室から前記第２導電部材が抜け出ないように前記第２収容室の開口の少なくとも一部を塞ぐ蓋体と、前記収容体と前記蓋体とを連結し、前記第２収容室の前記開口に対する開放位置と前記第２収容室の前記開口に対する閉塞位置との間で前記蓋体を前記収容体に対して回動させるヒンジ体と、前記閉塞位置で前記蓋体を前記収容体に保持させる保持機構と、を有し、前記ヒンジ体は、前記収容体側と前記蓋体側との間で回動軸の位置の変位が可能な柔軟性を有する薄肉のリビングヒンジであり、前記保持機構は、前記収容体に設けた第１係合保持体と、前記蓋体に設けた第２係合保持体と、を備え、前記第１係合保持体と前記第２係合保持体の内の一方が有する爪部を前記第１係合保持体と前記第２係合保持体の内の他方が有する被挿入部に挿入させ、前記爪部の前記被挿入部への挿入完了と共に前記爪部と前記被挿入部の壁面とを互いに引っ掛けることによって、前記閉塞位置で前記蓋体を前記収容体に保持させるように形成し、前記第１係合保持体は、前記ヒンジ体の前記回動軸の位置が前記収容体側と前記蓋体側との間における基準回動軸の位置のときに前記第２係合保持体が当接し、前記収容体に対する前記蓋体の回動動作の進行と共に前記爪部が前記被挿入部に挿入されるよう前記第２係合保持体を案内する第１誘い込み部と、前記ヒンジ体の前記回動軸の位置が前記収容体側と前記蓋体側との間における何れの位置であっても前記第２係合保持体が当接し、前記収容体に対する前記蓋体の回動動作の進行と共に前記第２係合保持体を前記第１誘い込み部まで案内する第２誘い込み部と、を有することを特徴としている。
【０００７】
ここで、前記第２誘い込み部は、前記第２係合保持体が前記第１誘い込み部に到達するまで、当接した前記第２係合保持体を接触させながら案内する摺接面であることが望ましい。
【０００８】
また、前記第２誘い込み部は、前記第１誘い込み部による前記第２係合保持体の案内方向に対して傾斜させた傾斜面であることが望ましい。
【０００９】
また、前記第２収容室は、前記第２収容室を成す壁部における前記ヒンジ体が連結された前記回動軸側の内側壁部と、前記内側壁部に対して前記第２収容室の室内を挟んで間隔を空けて配置された外側壁部と、を有し、前記蓋体は、前記ヒンジ体が連結された前記回動軸側の内側端部と、前記内側端部に対して間隔を空けて配置された外側端部と、を有し、前記保持機構は、前記外側壁部に前記第１係合保持体を設け、かつ、前記外側端部に前記第２係合保持体を設けることが望ましい。
【００１０】
また、前記第２収容室は、前記第２収容室を成す壁部における前記ヒンジ体が連結された前記回動軸側の内側壁部と、前記内側壁部に対して前記第２収容室の室内を挟んで間隔を空けて配置された外側壁部と、を有し、前記蓋体は、前記ヒンジ体が連結された前記回動軸側の内側端部と、前記内側端部に対して間隔を空けて配置された外側端部と、を有し、前記保持機構は、前記外側壁部と前記外側端部との間に配置すると共に、前記内側壁部と前記内側端部との間にも配置することが望ましい。
【００１１】
また、前記第２導電部材は、前記導電体としての芯線と、前記芯線を覆う被覆と、を備えた電線であることが望ましい。
【発明の効果】
【００１２】
本発明に係る導電モジュールは、収容体に対する蓋体の閉塞位置に向けた回動動作において、ヒンジ体の回動軸が収容体側と蓋体側との間で如何様な位置に変位していたとしても、第１係合保持体の第２誘い込み部によって第２係合保持体を第１係合保持体の第１誘い込み部に導くことができるので、保持機構における爪部を被挿入部に挿入させ、第１係合保持体と第２係合保持体との間の係合状態を作り出すことができる。このため、この導電モジュールは、第１係合保持体の第１誘い込み部と第２係合保持体との互いの位置関係を作業者等が意識せずとも、爪部を被挿入部に挿入することができるので、保持機構における第１係合保持体と第２係合保持体との間の係合作業の作業性を向上させることができる。
【図面の簡単な説明】
【００１３】
【図１】図１は、実施形態の導電モジュールの分解斜視図である。
【図２】図２は、電池モジュールを示す斜視図である。
【図３】図３は、蓋体が開状態の収容部材の一部を示す斜視図である。
【図４】図４は、蓋体が開状態の収容部材の一部を示す平面図である。
【図５】図５は、蓋体が閉状態の収容部材の一部を示す斜視図である。
【図６】図６は、蓋体が閉状態の収容部材の一部を示す平面図である。
【図７】図７は、図４のＸ１−Ｘ１線断面図であって、保持機構の拡大図である。
【図８】図８は、図４のＸ２−Ｘ２線断面図であって、保持機構の拡大図である。
【図９】図９は、図６のＹ１−Ｙ１線断面図であって、保持機構の拡大図である。
【図１０】図１０は、図６のＹ２−Ｙ２線断面図であって、保持機構の拡大図である。
【図１１】図１１は、図８や図１０に相当する断面図であり、第２係合保持体が第２誘い込み部に当接したときの一例を示す図である。
【発明を実施するための形態】
【００１４】
以下に、本発明に係る導電モジュールの実施形態を図面に基づいて詳細に説明する。尚、この実施形態によりこの発明が限定されるものではない。
【００１５】
［実施形態］
本発明に係る導電モジュールの実施形態の１つを図１から図１１に基づいて説明する。
【００１６】
図１の符号１は、本実施形態の導電モジュールを示す。この導電モジュール１は、電池モジュール１１０（図２）を成す複数の電池セル１２０の内の少なくとも１つに対して電気的に接続されるものであり、この電池モジュール１１０と共に電池パック１００を成す。電池パック１００とは、回転機を駆動源として備える車両（電気自動車やハイブリッド車等）に搭載されるものであり、その回転機に対する給電等に供される。先ずは、この導電モジュール１の接続対象について説明する。尚、図１の導電モジュール１や図２の電池モジュール１１０は、その一部を抜き出して示したものである。
【００１７】
電池セル１２０は、セル本体１２１と、２つの電極端子１２２と、を備える（図２）。それぞれの電極端子１２２は、外方に露出させた状態でセル本体１２１の何れかの場所に各々設けたものであって、一方が正極となり、他方が負極となる。それぞれの電極端子１２２は、例えば、セル本体１２１の外壁面に設けた板状のものであったり、セル本体１２１の外壁面から突出させた柱状の極柱であったりする。電池セル１２０は、セル本体１２１が複数の外壁面を有する場合、それぞれの電極端子１２２が１つの外壁面に配置されていてもよく、電極端子１２２が配置される外壁面を電極端子１２２毎に分けてもよい。電池モジュール１１０においては、それぞれの電池セル１２０の何れか一方の電極端子１２２を一列に並べ、かつ、他方の電極端子１２２も一列に並べた状態で、それぞれの電池セル１２０を連ねて配列している。このため、この電池モジュール１１０では、一列に並べられた電極端子１２２から成る電極端子群１２５が２箇所に設けられている。
【００１８】
この電池モジュール１１０においては、それぞれの電極端子群１２５毎に、電池セル１２０の配列方向で隣り合う２つの電極端子１２２が導電性のバスバ１５０で連結される（図１）。バスバ１５０は、金属等の導電性材料で成形し、その隣り合う２つの電極端子１２２の組み合わせ毎に設けることによって、その組み合わせ毎に２つの電極端子１２２を物理的且つ電気的に接続させる。この例示のバスバ１５０は、矩形の平板状に成形されており、電池セル１２０の配列方向に沿って電極端子群１２５毎に複数配列される。例えば、電極端子１２２が板状の場合には、この電極端子１２２に対して、バスバ１５０が溶接（レーザ溶接等）で物理的且つ電気的に接続される。一方、電極端子１２２が極柱の場合には、それぞれの電極端子１２２を挿通させる貫通孔がバスバ１５０に形成されており、このバスバ１５０を電極端子１２２に対してネジ止め等で固定することによって、その相互間を物理的且つ電気的に接続させる。尚、この電池モジュール１１０においては、そのバスバ１５０で連結されない電極端子１２２が２つ存在しており、その内の一方が所謂総正極となり、その内の他方が所謂総負極となる。その総正極や総負極には、電極端子１２２が極柱の場合、貫通孔が１つのバスバ１５１が設けられる。後述する収容部材３０には、バスバ１５０と共に、このバスバ１５１についても収容される。
【００１９】
例えば、本実施形態の電池セル１２０は、セル本体１２１が方体を成している。このため、本実施形態の電池モジュール１１０は、それぞれの電池セル１２０によって仮想的に方体を成しており、複数の電池セル１２０の配列方向に沿い且つ複数の電池セル１２０から成る集合体の６つの壁面を有している。また、本実施形態の電池セル１２０は、そのセル本体１２１の対向する２つの外壁面からスタッドボルトを各々垂設し、そのそれぞれのスタッドボルトを各々電極端子１２２として利用している。このため、本実施形態の電池モジュール１１０は、方体を成す６つの壁面の内の対向する２つに各々電極端子群１２５が設けられている。そして、本実施形態のバスバ１５０は、隣り合う２つの電極端子１２２が挿通される貫通孔を有している。例えば、この電池モジュール１１０は、車両において、それぞれの電極端子１２２の軸線方向が車両上下方向に対して直交するように搭載される。
【００２０】
本実施形態の導電モジュール１は、このように構成されている電池モジュール１１０に対して、それぞれの電極端子群１２５の内の少なくとも一方に接続する。
【００２１】
導電モジュール１は、第１導電部材１０と、第２導電部材２０と、その第１及び第２の導電部材１０，２０を収容する収容部材３０と、を備える（図１）。この導電モジュール１は、少なくとも１つの第１導電部材１０と少なくとも１つの第２導電部材２０とを備えていればよい。この例示では、複数の第１導電部材１０と複数の第２導電部材２０とを備えている。
【００２２】
第１導電部材１０は、金属等の導電性材料で成形されている。この第１導電部材１０は、電池モジュール１１０として配列された複数の電池セル１２０の内の少なくとも１つを接続対象とし、その接続対象となる電池セル１２０が有する２つの電極端子１２２の内の１つに対して電気的に接続される。この第１導電部材１０は、電極端子１２２との電気的な繋がりが直接的なものであってもよく、間接的なものであってもよい。電極端子１２２に対して直接的（つまり、物理的）且つ電気的に接続させる前者の場合には、例えば、平板状の第１導電部材１０に貫通孔を形成し、その貫通孔に電極端子１２２を挿通させることによって、第１導電部材１０をバスバ１５０と一緒に電極端子１２２に共締めすればよい。また、この場合には、そのバスバ１５０そのものを第１導電部材１０として利用してもよい。一方、電極端子１２２に対して間接的に接続させる後者の場合には、例えば、バスバ１５０に対して溶接（レーザ溶接等）で物理的且つ電気的に接続させるように第１導電部材１０を形成し、バスバ１５０を介して電極端子１２２に電気的に接続させればよい。この例示では、バスバ１５０そのものを第１導電部材１０として利用している。
【００２３】
第２導電部材２０は、金属等の導電性材料で成形されている。この第２導電部材２０は、複数の電池セル１２０の配列方向に延在させる導電体２１を有し、第１導電部材１０及び電気接続対象物２００に対して導電体２１を電気的に接続させるものである（図１）。この第２導電部材２０は、その導電体２１を第１導電部材１０や電気接続対象物２００に対して直接的又は間接的に接続することで、導電体２１と第１導電部材１０との間や導電体２１と電気接続対象物２００との間を電気的に接続させる。例えば、直接的な繋ぎ方の場合には、導電体２１に取り付けた金属端子（図示略）を第１導電部材１０と一緒に電極端子１２２に共締めしたり、導電体２１を第１導電部材１０に溶接（レーザ溶接等）したりして、この導電体２１と第１導電部材１０とを物理的且つ電気的に接続すればよい。また、間接的な繋ぎ方の場合には、導電体２１と第１導電部材１０との間に第３導電部材（図示略）を介在させて、この導電体２１と第１導電部材１０とを電気的に接続すればよい。その第３導電部材としては、例えば、可溶体を有する回路保護部材（ヒューズ等）の適用が考えられる。この例示では、芯線となる導電体２１と、この導電体２１を覆う被覆２２と、を備えた電線を第２導電部材２０として利用する。尚、その芯線は、円柱状に成形された棒状導体であってもよく、複数本の素線を一纏めにしたもの（例えば、複数本の素線を撚り合わせた撚り線）であってもよい。
【００２４】
ここで、この例示の電気接続対象物２００とは、電池セル１２０の電池状態（電圧、電流、温度等）を監視する電池監視ユニットのことである。例えば、第２導電部材２０としての電線は、電池セル１２０の電圧を検出するための電圧検出線として設けられている。
【００２５】
収容部材３０は、合成樹脂等の絶縁性材料で成形されている。この収容部材３０は、第１及び第２の導電部材１０，２０が収容される収容体４０を有する（図１、図３から図６）。その収容体４０は、第１導電部材１０が収容される第１収容室４１と、第２導電部材２０が収容される第２収容室４２と、を有している。第１収容室４１は、第１導電部材１０毎に設けられている。一方、第２収容室４２は、それぞれの第１収容室４１から引き回されてきた複数の第２導電部材２０が収容される１つの部屋として設けられている。この収容部材３０においては、それぞれの第１収容室４１を複数の電池セル１２０の配列方向に並べて配置させ、かつ、第２導電部材２０を複数の電池セル１２０の配列方向に沿って延在させている。
【００２６】
更に、収容部材３０は、第２収容室４２から第２導電部材２０が抜け出ないように第２収容室４２の開口４２ａの少なくとも一部を塞ぐ蓋体５０と、収容体４０と蓋体５０とを連結し、第２収容室４２の開口４２ａに対する開放位置（図１、図３及び図４）と第２収容室４２の開口４２ａに対する閉塞位置（図５及び図６）との間で蓋体５０を収容体４０に対して回動させるヒンジ体６０と、を有する（図１、図３から図６）。
【００２７】
この収容部材３０においては、収容体４０と蓋体５０とヒンジ体６０とが一体成形されている。このため、ヒンジ体６０は、所謂リビングヒンジとして形成している。リビングヒンジとは、収容体４０と蓋体５０との間に形成された柔軟性を有する薄肉部分であり、収容体４０側と蓋体５０側との間で回動軸の位置の変位が可能なものである。この例示のヒンジ体６０は、収容体４０と蓋体５０との間での回動を可能にするだけの柔軟性を有するものであり、矩形の薄肉の平板となるように形成されている。また、この例示のヒンジ体６０は、収容体４０における第２収容室４２の開口４２ａと蓋体５０との間を連結させている。このヒンジ体６０は、初期状態で平板状になっており、折り曲げることで収容体４０に対して蓋体５０を回動させることができる。この例示では、そのヒンジ体６０の初期状態における収容体４０と蓋体５０との相対的な位置関係を開放位置とする。また、このヒンジ体６０においては、その折り曲げの箇所に応じて、収容体４０側と蓋体５０側との間で回動軸が変位する。
【００２８】
第２収容室４２と蓋体５０は、蓋体５０で第２収容室４２の開口４２ａを塞いだ際に互いに近接する近接部を有する。第２収容室４２と蓋体５０のそれぞれの近接部は、互いに接触するものであってもよい。第２収容室４２と蓋体５０は、それぞれに少なくとも２箇所ずつ近接部を有しており、それぞれの近接部が開口４２ａを介して互いに向かい合っている。
【００２９】
第２収容室４２の近接部は、第２収容室４２を成す壁部に設けられている。例えば、第２収容室４２は、その壁部におけるヒンジ体６０が連結された回動軸側（以下、「内側壁部」という。）４２ｂと、この内側壁部４２ｂに対して第２収容室４２の室内を挟んで間隔を空けて配置された壁部（以下、「外側壁部」という。）４２ｃと、を有している（図３から図６）。この第２収容室４２においては、その内側壁部４２ｂと外側壁部４２ｃとに近接部が設けられている。第２収容室４２の近接部は、例えば、その内側壁部４２ｂと外側壁部４２ｃの一部である第２収容室４２の開口４２ａの周縁部、その内側壁部４２ｂと外側壁部４２ｃにおける開口４２ａの周縁部よりも室内側等に設けられる。
【００３０】
蓋体５０の近接部は、閉塞位置で第２収容室４２の内側壁部４２ｂと外側壁部４２ｃとに各々近接する周端部に設けられている。例えば、蓋体５０は、その周端部におけるヒンジ体６０が連結された回動軸側の端部（以下、「内側端部」という。）５１と、この内側端部５１に対して間隔を空けて配置された端部（以下、「外側端部」という。）５２と、を有している（図３から図６）。その内側端部５１と外側端部５２は、閉塞位置で第２収容室４２の室内を隔てた位置に配置されている。この蓋体５０においては、その内側端部５１と外側端部５２を近接部として有している（図３から図６）。閉塞位置においては、その内側端部５１が第２収容室４２の内側壁部４２ｂに近接し、外側端部５２が第２収容室４２の外側壁部４２ｃに近接する。
【００３１】
また更に、収容部材３０は、閉塞位置で蓋体５０を収容体４０に保持させる保持機構７０を有する（図１、図３から図１０）。収容部材３０においては、この保持機構７０についても、収容体４０、蓋体５０及びヒンジ体６０と一体成形している。
【００３２】
この保持機構７０は、収容体４０に設けた第１係合保持体７１と、蓋体５０に設けた第２係合保持体７２と、を備える（図１、図３及び図４から図１０）。この保持機構７０は、第１係合保持体７１と第２係合保持体７２の内の一方が有する爪部７３を第１係合保持体７１と第２係合保持体７２の内の他方が有する被挿入部７４に挿入させ、爪部７３の被挿入部７４への挿入完了と共に爪部７３と被挿入部７４の壁面７４ａとを互いに引っ掛けることによって、閉塞位置で蓋体５０を収容体４０に保持させるように形成する（図７から図１０）。その爪部７３と壁面７４ａは、閉塞位置で互いに接触状態となるものであってもよく、閉塞位置での蓋体５０の開放位置側への動きに伴い接触するものであってもよい。例えば、閉塞位置でヒンジ体６０が元の形状に戻ろうとしている場合には、爪部７３と壁面７４ａとが互いに接触状態となる。爪部７３は、第１係合保持体７１と第２係合保持体７２の内の一方において爪状の突出部として形成されたものである。被挿入部７４は、第１係合保持体７１と第２係合保持体７２の内の他方において形成された溝又は貫通孔であり、その溝又は貫通孔を成す複数の壁面の内の１つが爪部７３を引っ掛ける壁面７４ａとなる。この保持機構７０においては、ヒンジ体６０による収容体４０に対する蓋体５０の回動動作に伴って、第１係合保持体７１に対して第２係合保持体７２も回動し、爪部７３が被挿入部７４に挿入されていく。この例示では、第１係合保持体７１に被挿入部７４を設け、第２係合保持体７２に爪部７３を設けている。
【００３３】
ここで、先に示したように、ヒンジ体６０は、その柔軟性故に回動軸６５の位置が収容体４０側と蓋体５０側との間で変位する。しかしながら、保持機構７０においては、爪部７３と被挿入部７４との間の係合状態を保つべく、そのヒンジ体６０の回動軸６５の位置が所定位置のときに爪部７３が被挿入部７４に挿入されていくように、第１係合保持体７１と第２係合保持体７２とを形成している。ここでは、その所定位置のときのヒンジ体６０の回動軸６５を基準回動軸６５Ａと称する（図１０）。
【００３４】
第１係合保持体７１は、ヒンジ体６０の回動軸６５の位置が収容体４０側と蓋体５０側との間における基準回動軸６５Ａの位置のときに第２係合保持体７２が当接し、収容体４０に対する蓋体５０の回動動作の進行と共に爪部７３が被挿入部７４に挿入されるよう第２係合保持体７２を案内する誘い込み部（以下、「第１誘い込み部」という。）７１ａを有している（図４、図６及び図７から図１０）。その第１誘い込み部７１ａは、爪部７３が被挿入部７４に挿入されるまでの間、当接した第２係合保持体７２を接触させながら案内する摺接面として形成している。
【００３５】
この例示の第１誘い込み部７１ａは、ヒンジ体６０が基準回動軸６５Ａで収容体４０に対して蓋体５０を回動させているときに、第２係合保持体７２の爪部７３が当接し、その蓋体５０の回動動作の進行と共に爪部７３を接触させながら被挿入部７４まで案内させるように形成する。このため、この例示の第１係合保持体７１においては、第１誘い込み部７１ａを被挿入部７４に連接させて設けており、被挿入部７４を成す複数の壁面の内の第１誘い込み部７１ａ側が爪部７３を引っ掛ける壁面７４ａとなる。
【００３６】
また、この例示の第１誘い込み部７１ａは、第２係合保持体７２の主たる案内面である第１摺接面７１ａ１と、第２係合保持体７２の誘い込みを容易なものとするための第２摺接面７１ａ２と、を有する（図７から図１０）。この第１誘い込み部７１ａにおいては、第１摺接面７１ａ１に沿う爪部７３の案内方向が第２係合保持体７２の主たる案内方向となる。この例示の第１摺接面７１ａ１は、電極端子１２２の軸線方向に沿って第２係合保持体７２を爪部７３と共に案内するように形成されている。第２摺接面７１ａ２は、第２係合保持体７２が最初に当接する部位であり、第１摺接面７１ａ１に対して被挿入部７４とは逆側に配置されている。この第２摺接面７１ａ２は、被挿入部７４から離れるに連れてヒンジ体６０側に近づくように傾斜させた傾斜面として形成することが望ましい。
【００３７】
この保持機構７０においては、第１係合保持体７１と第２係合保持体７２の内の少なくとも一方に可撓性を持たせている。この保持機構７０においては、爪部７３が第１誘い込み部７１ａに沿って案内されているときに、第１係合保持体７１と第２係合保持体７２の内の少なくとも一方を撓ませ、その撓みが爪部７３の被挿入部７４への挿入と共に解消されるように、第１係合保持体７１と第２係合保持体７２とを形成している。
【００３８】
このように構成されている保持機構７０においては、第１係合保持体７１と第２係合保持体７２との間の係合状態を作り出すために、収容体４０に対する蓋体５０の閉塞位置に向けた回動動作が開始した際のヒンジ体６０の回動軸６５の位置に拘わらず、その回動動作の進行と共にヒンジ体６０の回動軸６５の位置を最終的に基準回動軸６５Ａの位置まで変位させ、第２係合保持体７２を第１係合保持体７１の第１誘い込み部７１ａで案内させる必要がある。換言するならば、この保持機構７０においては、そのヒンジ体６０の回動軸６５の位置に拘わらず、第２係合保持体７２を第１係合保持体７１の第１誘い込み部７１ａに導く必要がある。このために、第１係合保持体７１は、ヒンジ体６０の回動軸６５の位置が収容体４０側と蓋体５０側との間における何れの位置であっても第２係合保持体７２が当接し、収容体４０に対する蓋体５０の回動動作の進行と共に第２係合保持体７２を第１誘い込み部７１ａまで案内する第２誘い込み部７１ｂを有している（図４、図６及び図７から図１０）。その第２誘い込み部７１ｂは、第２係合保持体７２が第１誘い込み部７１ａに到達するまで、当接した第２係合保持体７２を接触させながら案内する摺接面として形成している。
【００３９】
この例示の第２誘い込み部７１ｂは、収容体４０に対して蓋体５０を閉塞位置に向けて回動させた際に最初に第２係合保持体７２が当接するように形成している。このために、第２誘い込み部７１ｂは、ヒンジ体６０の回動軸６５の位置が何れの位置であっても、その全ての回動軸６５に応じた第２係合保持体７２の回動軌跡上に配置されるように形成する（図１１）。この例示では、第２係合保持体７２における爪部７３側の先端の回動軌跡に合わせて第２誘い込み部７１ｂを設けている。
【００４０】
また、第２誘い込み部７１ｂは、第１誘い込み部７１ａによる第２係合保持体７２の案内方向（第１摺接面７１ａ１に沿った案内方向）に対して傾斜させた傾斜面として形成することが望ましい。この例示の第２誘い込み部７１ｂは、第２摺接面７１ａ２とは逆向きの傾斜面であり、その第２係合保持体７２の案内方向で被挿入部７４や第１誘い込み部７１ａから離れるに連れてヒンジ体６０から離れるように傾斜させている。
【００４１】
この保持機構７０においては、収容体４０に対する蓋体５０の閉塞位置に向けた回動動作が開始した際のヒンジ体６０の回動軸６５の位置に拘わらず、その回動動作の進行と共に第２係合保持体７２が第２誘い込み部７１ｂに当接する。このため、この保持機構７０においては、その回動動作を更に進めることによって、第２係合保持体７２を第２誘い込み部７１ｂに沿って案内し、この第２係合保持体７２の爪部７３を第１誘い込み部７１ａに当接させることができる。従って、この保持機構７０では、その回動動作を更に進めることによって、爪部７３を第１誘い込み部７１ａに沿って被挿入部７４まで案内することができる。このように、この保持機構７０は、ヒンジ体６０の回動軸６５が収容体４０側と蓋体５０側との間で如何様な位置に変位していたとしても、第２係合保持体７２を第１係合保持体７１の第１誘い込み部７１ａに導くことができるので、爪部７３を被挿入部７４に挿入させ、第１係合保持体７１と第２係合保持体７２との間の係合状態を作り出すことができる。よって、本実施形態の導電モジュール１は、第１係合保持体７１の第１誘い込み部７１ａと第２係合保持体７２との互いの位置関係を作業者等が意識せずとも、爪部７３を被挿入部７４に挿入することができるので、この保持機構７０における第１係合保持体７１と第２係合保持体７２との間の係合作業の作業性を向上させることができる。
【００４２】
ここで、収容部材３０においては、蓋体５０の蓋としての機能を保持機構７０で保つべく、その保持機構７０をヒンジ体６０が連結された回動軸６５側とは逆側の第２収容室４２の外側壁部４２ｃと蓋体５０の外側端部５２との間に少なくとも配置することが望ましい。その配置に際して、保持機構７０は、蓋体５０の外側端部５２の長さに応じて配置場所と数量を決める。例えば、保持機構７０は、蓋体５０の外側端部５２が短く、１箇所だけで係合状態の保持力を確保できるのであれば、外側壁部４２ｃと外側端部５２との間に１つ配置し、蓋体５０の外側端部５２が長く、１箇所だけで係合状態の保持力を確保できないのであれば、外側壁部４２ｃと外側端部５２との間に複数配置すればよい。
【００４３】
この例示の収容部材３０において、保持機構７０は、外側壁部４２ｃと外側端部５２との間に配置し、かつ、第２収容室４２の開口４２ａにおける内側壁部４２ｂと蓋体５０の内側端部５１との間にも配置している。ここでは、外側壁部４２ｃと外側端部５２との間に配置した保持機構７０を第１保持機構７０Ａと称し、内側壁部４２ｂと内側端部５１との間に配置した保持機構７０を第２保持機構７０Ｂと称する（図１、図３から図６）。第１保持機構７０Ａは、外側壁部４２ｃに第１係合保持体７１を設け、かつ、外側端部５２に第２係合保持体７２を設けている。一方、第２保持機構７０Ｂは、内側壁部４２ｂに第１係合保持体７１を設け、かつ、内側端部５１に第２係合保持体７２を設けている。
【００４４】
本実施形態の導電モジュール１は、第１保持機構７０Ａと第２保持機構７０Ｂの内の一方において第２係合保持体７２が第２誘い込み部７１ｂを介して第１誘い込み部７１ａまで案内されると共に、その内の他方においても第２係合保持体７２が第２誘い込み部７１ｂを介して第１誘い込み部７１ａまで案内される。従って、この導電モジュール１は、第１保持機構７０Ａと第２保持機構７０Ｂとにおいて、それぞれの第１係合保持体７１の第１誘い込み部７１ａと第２係合保持体７２との互いの位置関係を作業者等が意識せずとも、爪部７３を被挿入部７４に挿入することができるので、それぞれの第１係合保持体７１と第２係合保持体７２との間の係合作業の作業性を向上させることができる。また、この導電モジュール１においては、第１保持機構７０Ａと第２保持機構７０Ｂのどちらから第１係合保持体７１と第２係合保持体７２とを係合させたとしても、第１保持機構７０Ａと第２保持機構７０Ｂの双方の第１係合保持体７１と第２係合保持体７２とを係合させることができるので、この点からも係合作業の作業性を向上させることができる。
【００４５】
ところで、第２誘い込み部７１ｂは、第１保持機構７０Ａと第２保持機構７０Ｂの内の少なくとも一方に設けられていればよい。このように構成された本実施形態の導電モジュール１は、第１保持機構７０Ａと第２保持機構７０Ｂの内の一方において第２係合保持体７２が第２誘い込み部７１ｂを介して第１誘い込み部７１ａまで案内されることで、その内の他方が第２誘い込み部７１ｂを有していなくても、この他方における第２係合保持体７２が第１誘い込み部７１ａまで案内される。従って、そのように第１保持機構７０Ａと第２保持機構７０Ｂとが構成されたとしても、この導電モジュール１は、その第１保持機構７０Ａと第２保持機構７０Ｂとにおいて、それぞれの第１係合保持体７１の第１誘い込み部７１ａと第２係合保持体７２との互いの位置関係を作業者等が意識せずとも、爪部７３を被挿入部７４に挿入することができるので、それぞれの第１係合保持体７１と第２係合保持体７２との間の係合作業の作業性を向上させることができる。つまり、この導電モジュール１は、第２誘い込み部７１ｂを有していない他方の第１係合保持体７１と第２係合保持体７２から係合させようとしたとしても、その際に一方の第２係合保持体７２が第２誘い込み部７１ｂを介して第１誘い込み部７１ａまで案内されるので、この点からも係合作業の作業性を向上させることができる。
【符号の説明】
【００４６】
１  導電モジュール
１０  第１導電部材
２０  第２導電部材
２１  導電体
２２  被覆
３０  収容部材
４０  収容体
４１  第１収容室
４２  第２収容室
４２ａ  開口
４２ｂ  内側壁部
４２ｃ  外側壁部
５０  蓋体
５１  内側端部
５２  外側端部
６０  ヒンジ体
７０  保持機構
７０Ａ  第１保持機構
７０Ｂ  第２保持機構
７１ａ  第１誘い込み部
７１ｂ  第２誘い込み部
７１  第１係合保持体
７２  第２係合保持体
７３  爪部
７４  被挿入部
７４ａ  壁面
１２０  電池セル
１２２  電極端子
２００  電気接続対象物
【図１】
2018195446.tif 000003
【図２】
2018195446.tif 000004
【図３】
2018195446.tif 000005
【図４】
2018195446.tif 000006
【図５】
2018195446.tif 000007
【図６】
2018195446.tif 000008
【図７】
2018195446.tif 000009
【図８】
2018195446.tif 000010
【図９】
2018195446.tif 000011
【図１０】
2018195446.tif 000012
【図１１】
2018195446.tif 000013